(57)【要約】【課題】本発明は、下位装置と上位装置とに関し、これらの装置の間における布線の誤接続と、その誤接続が行われた布線の特定とが確実に達成されることを目的とする。【解決手段】第一の布線として形成された通信リンクを介して上位装置によって付与された識別子を取得する識別子取得手段を有する下位装置において、識別子取得手段は、通信リンクを介して新たな識別子が付与されたときに、その新たな識別子に先行して付与された識別子が有るか否かの第一の判別を行い、その先行して付与された識別子があるときにこの新たな識別子を無効化することによって構成される。【選択図】      図１
2005229476.tif 000002
【特許請求の範囲】
【請求項１】
第一の布線として形成された通信リンクを介して上位装置によって付与された識別子を取得する識別子取得手段を有する下位装置において、
前記識別子取得手段は、
前記通信リンクを介して新たな識別子が付与されたときに、前記新たな識別子に先行して付与された識別子があるか否かの第一の判別を行い、前記先行して付与された識別子がある場合に前記新たな識別子を無効化する
ことを特徴とする下位装置。
【請求項２】
請求項１に記載の下位装置において、
前記通信リンクを介して付与された新たな識別子が前記先行して付与された識別子に等しいか否かの第二の判別を行い、前記新たな識別子が前記先行して付与された識別子に等しくない場合、前記通信リンクを介して与えられた情報を無効化する第一の制御手段を備えた
ことを特徴とする下位装置。
【請求項３】
請求項１または請求項２に記載の下位装置において、
第三の布線として形成され、かつ前記上位装置によって終端され、あるいは前記上位装置が中継ノードとして介在する伝送路とのインタフェースをとる第二の伝送インタフェース手段と、
前記第三の布線および前記第二の伝送インタフェース手段を介して前記上位装置から引き渡された伝送情報に、前記通信リンクを介して前記上位装置によって付与された識別子と、前記第三の布線を示すユニークな識別情報とが既定の形式で含まれるか否かの第三の判別を行い、前記第三の判別の結果に適合した系構成を図る第二の制御手段と
を備えたことを特徴とする下位装置。
【請求項４】
下位装置との間に敷設された第一の布線として形成された通信リンクを介して、前記下位装置に付与されるべき識別子と、前記下位装置の運用にかかわる情報とを前記下位装置と交換する情報交換手段と、
前記下位装置から前記情報として引き渡された識別子が前記下位装置に付与されるべき識別子であるか否かの第一の判別を行う第一の判別手段とを備え、
前記情報交換手段は、
前記情報として引き渡された識別子が前記下位装置に付与されるべき識別子でない場合、前記情報を無効化する
ことを特徴とする上位装置。
【請求項５】
請求項４に記載の上位装置において、
第三の布線として形成され、かつ前記下位装置によって終端され、あるいは前記上位装置が中継ノードとして介在する伝送路を介して前記下位装置から引き渡された伝送情報に、前記通信リンクを介して前記下位装置に付与されるべき識別子と、前記第三の布線を示すユニークな識別情報とが既定の形式で含まれるか否かの第二の判別を行い、前記第二の判別の結果に適合した系構成を図る第一の制御手段と
を備えたことを特徴とする上位装置。
【発明の詳細な説明】
【技術分野】
【０００１】
本発明は、所定の布線を介して上位装置に接続され、その上位装置と連係して、あるいは並行して作動することによって所定の機能や負荷を担う下位装置と、これらの下位装置の運用や系構成にかかわる制御を主導的に行う上位装置とに関する。
【背景技術】
【０００２】
近年、クロスコネクト装置その他の伝送装置には、通信サービスの多様化と需要の増大とに対する柔軟な適応に併せて、伝送容量の増設の安価な実現が要求されている。したがって、このような要求は、増設、改修および移設の何れについても「適切な伝送容量を有し、かつ構成が標準化されると共に、所定のケーブル（光ファイバ）を介して連係する複数の伝送装置」が組み合わせられるビルディングブロック方式によって実現されている。
【０００３】
図８は、複数の伝送装置の組み合わせとして構成されたノード装置の構成例を示す図である。
図において、ノード装置１０は、環状に形成された３つの網２０-0、２０-1、２０-2に接続される。網２０-0、２０-1、２０-2には、それぞれ３つのノード装置２０ｎ-01 〜２０ｎ-03 、２つのノード装置２０ｎ-11、２０ｎ-12、３つのノード装置２０ｎ-21 〜２０ｎ-23 がそれぞれ配置される。
【０００４】
ノード装置１０は、「構成が標準化され、かつ基本的に共通である３つのクロスコネクト装置１１-0〜１１-2」と、後述する布線とで構成される。
クロスコネクト装置１１-0は、所定の架の「メインシェルフ」に実装され、かつ下記の要素から構成される。
(1) 下記のポートを有するスイッチ１２-0
・  伝送容量が１００ギガビット／秒以下である網またはリンク（ここでは、網２０-0であると仮定する。）に接続されるべき特定のポート（以下、「ポートＬ」という。）
・  伝送容量が３０ギガビット／秒以下である網またはリンクにそれぞれ接続されるべき４つのポート（以下、それぞれ「ポートＪ１」〜「ポートＪ４」という。）
・  伝送容量が２０ギガビット／秒以下である網またはリンクにそれぞれ接続されるべき２つのポート（以下、それぞれ「ポートｊ１」、「ポートｊ２」という。）
(2) このスイッチ１２-0を主導的に制御し、かつ２つの通信ポートを有する制御部１３-0
(3) 上述した「ポートＬ」、「ポートＪ１」〜「ポートＪ４」、「ポートｊ１」、「ポートｊ２」に個別に接続された７つのレセプタクル（以下、これらのポートに個別に対応した符号「１４Ｌ-0」、「１４Ｊ-01」〜「１４Ｊ-04」、「１４ｊ-01」、「１４ｊ-02」を付与して示す。）
(4) 上述した２つの通信ポートに個別に接続された２つのレセプタクル（以下、それぞれ符号「１４Ｃ-01」、「１４Ｃ-02」を付与して示す。）
また、クロスコネクト装置１１-1、１１-2は、既述の架の異なる２つのシェルフ（以下、それぞれ「第一のＴｒｉｂシェルフ」、「第二のＴｒｉｂシェルフ」と称する。）にそれぞれ実装される。
【０００５】
なお、これらのクロスコネクト装置１１-1、１１-2の構成については、基本的にクロスコネクト装置１１-0の構成と同じであるので、以下では、対応する要素に、第一の添え番号として「０」に代わる「１」、「２」がそれぞれ付加された共通の「符号」を付与し、ここでは、説明を省略する。
さらに、これらのクロスコネクト装置１１-0〜１１-2の間には、下記のケーブルが布線として敷設される。
・  レセプタクル１４Ｌ-0に接続されるコネクタ１５Ｌ-0に一端が接続され、かつ他端が網２０-0の先行する伝送区間および後続する伝送区間に接続されたケーブル１６Ｌ-0
・  レセプタクル１４Ｌ-1に接続されるコネクタ１５Ｌ-1に一端が接続され、かつ他端が網２０-1の先行する伝送区間および後続する伝送区間に接続されたケーブル１６Ｌ-1
・  レセプタクル１４Ｌ-2に接続されるコネクタ１５Ｌ-2に一端が接続され、かつ他端が網２０-2の先行する伝送区間および後続する伝送区間に接続されたケーブル１６Ｌ-2
・  レセプタクル１４Ｊ-01 に接続されるコネクタ１５Ｊ-01 に一端が接続され、かつレセプタクル１４Ｊ-11 に接続されるコネクタ１５Ｊ-11 に他端が接続されたケーブル１６Ｊ-1
・  レセプタクル１４Ｊ-02 に接続されるコネクタ１５Ｊ-02 に一端が接続され、かつレセプタクル１４Ｊ-12 に接続されるコネクタ１５Ｊ-12 に他端が接続されたケーブル１６Ｊ-2
・  レセプタクル１４Ｊ-03 に接続されるコネクタ１５Ｊ-03 に一端が接続され、かつレセプタクル１４Ｊ-21 に接続されるコネクタ１５Ｊ-21 に他端が接続されたケーブル１６Ｊ-3
・  レセプタクル１４Ｊ-04 に接続されるコネクタ１５Ｊ-04 に一端が接続され、かつレセプタクル１４Ｊ-22 に接続されるコネクタ１５Ｊ-22 に他端が接続されたケーブル１６Ｊ-4
・  レセプタクル１４ｊ-01 に接続されるコネクタ１５ｊ-01 に一端が接続され、かつレセプタクル１４ｊ-11 に接続されるコネクタ１５ｊ-11 に他端が接続されたケーブル１６ｊ-1
・  レセプタクル１４ｊ-02 に接続されるコネクタ１５ｊ-02 に一端が接続され、かつレセプタクル１４ｊ-21 に接続されるコネクタ１５ｊ-21 に他端が接続されたケーブル１６ｊ-2
・  レセプタクル１４Ｃ-01 に接続されるコネクタ１５Ｃ-01 に一端が接続され、かつレセプタクル１４Ｃ-11 に接続されるコネクタ１５Ｃ-11 に他端が接続されたケーブル１６Ｃ-1
・  レセプタクル１４Ｃ-02 に接続されるコネクタ１５Ｃ-02 に一端が接続され、かつレセプタクル１４Ｃ-12 に接続されるコネクタ１５Ｃ-12 に他端が接続されたケーブル１６Ｃ-2
このようなノード装置１０に備えられたクロスコネクト装置１１-0〜１１-2の内、クロスコネクト装置１１-0では、制御部１３-1が局情報に基づいて行う処理の下で、スイッチ１２-1の「ポートＬ」と、「ポートＪ１」、「ポートＪ２」、「ポートｊ１」との間に、これらの「ポートＪ１」、「ポートＪ２」、「ポートｊ１」の伝送容量の総和に等しい８０（＝３０＋３０＋２０）ギガビット／秒のリンクが定常的に形成される。
【０００６】
さらに、クロスコネクト装置１１-2では、スイッチ１２-2の「ポートＬ」と、「ポートＪ１」、「ポートＪ２」、「ポートｊ１」との間には、制御部１３-2が局情報に基づいて行う処理の下で、これらの「ポートＪ１」、「ポートＪ２」、「ポートｊ１」の伝送容量の総和に等しい８０（＝３０＋３０＋２０）ギガビット／秒のリンクが定常的に形成される。
【０００７】
また、クロスコネクト装置１１-0では、スイッチ１２-0の「ポートＬ」と、「ポートＪ１」〜「ポートＪ４」、「ポートｊ１」〜「ポートｊ２」との間には、制御部１３-0が局情報に基づいて行う処理の下で、その「ポートＬ」の伝送容量である１００ギガビット／秒以下のリンクが形成される。
したがって、ノード装置１０では、既述の布線が適正である限り、構成が標準化された３つのクロスコネクト装置１１-0〜１１-2がこれらの布線を介して連係することによって、局情報に基づく所望の大容量の網２０-0、２０-1、２０-2間におけるクロスコネクトが柔軟に、かつ安価に実現される。
【特許文献１】特開平９−６５３８９号公報（要約）
【発明の開示】
【発明が解決しようとする課題】
【０００８】
ところで、上述した従来例では、既述の布線の数、あるいはこのような布線を介して接続されるクロスコネクト装置の数が大きくなるほど、これらの布線に誤接続を伴う可能性が増加し、かつインストレーションに要する工数が増大する。
また、このような誤接続の確認および解消は、一般に、最終的には人手を介して行われなければならない。したがって、新規のインストレーションだけではなく、増設、改修および移設の何れについても、工程の遅れやコストの増加が生じ易かった。
【０００９】
なお、これらの工程の遅れやコストの増加は、既述の特許文献１に開示された先行技術が適用されることによって、個々のＴｒｉｂシェルフに「割り付けられるべき番号」がメインシェルフによって通知され、かつ増設されたＴｒｉｂシェルフがこの番号を自動的に取得する場合には、軽減され得る。
しかし、このような先行技術が適用された場合には、増設されたＴｒｉｂシェルフの番号はそのＴｒｉｂシェルフの状態が把握されることなく設定される。したがって、このＴｒｉｂシェルフが運用を開始した後に、例えば、布線の不良等に応じてケーブルが交換される作業の過程で誤接続が行われると、その誤接続に起因する障害がシステム全体に波及し、あるいは伝送品質やサービス品質が著しく低下する可能性があった。
【００１０】
さらに、上述した従来例および先行技術では、スイッチ１２-0〜１２-2を介して網２０-0と網２０-1、２０-2との間で引き渡される主信号にかかわる布線の誤接続は、検出されていなかった。
したがって、クロスコネクト装置１１-0〜１１-2にそれぞれ備えられたスイッチ１２-0〜１２-2に適正なパスが形成されても、網２０-0、２０-1、２０-2の間におけるクロスコネクトは正常に行われず、しかも、このような状態の把握だけではなく、その状態が生じる要因となっている布線の特定に必要な情報の取得が行われないために、サービス品質や伝送情報の秘匿性が著しく損なわれる状態が無用に継続する可能性があった。
【００１１】
本発明は、布線の誤接続と、その誤接続が行われた布線の特定とが迅速に、かつ確実に達成される下位装置および上位装置を提供することを目的とする。
【課題を解決するための手段】
【００１２】
第一の発明では、識別子取得手段は、第一の布線として形成された通信リンクを介して上位装置によって付与された識別子を取得する。さらに、識別子取得手段は、通信リンクを介して新たな識別子が付与されたときに、その新たな識別子に先行して付与された識別子があるか否かの第一の判別を行い、先行して付与された識別子がある場合にこの新たな識別子を無効化する。
【００１３】
すなわち、通信リンクを介して先行して上位装置によって付与された識別子は、例えば、保守や運用にかかわる作業の過程で、その通信リンクを構成する第一の布線に誤接続が生じた場合であっても、無用に更新されることなく維持される。
したがって、保守や運用の過程における信頼性の低下が軽減され、かつ増設、改修および移設の何れの工程においても、作業の効率化に併せて、コストの削減が図られる。
【００１４】
第二の発明では、識別子取得手段は、第一の布線として形成された常用冗長方式の通信リンクを介して上位装置によって付与された共通の識別子を取得する。さらに、識別子取得手段は、冗長な通信リンクを介して新たな共通の識別子が付与されたときに、その新たな共通の識別子に先行して付与された共通の識別子があるか否かの第一の判別を行い、その先行して付与された共通の識別子がある場合にこの新たな共通の識別子を無効化する。
【００１５】
すなわち、冗長に構成された通信リンクを介して先行して上位装置によって付与された共通の識別子は、例えば、保守や運用にかかわる作業の過程で、その通信リンクを構成する第一の布線に誤接続が生じた場合であっても、無用に更新されることなく維持される。
したがって、保守や運用の過程における信頼性の低下が軽減され、かつ増設、改修および移設の何れの工程においても、作業の効率化に併せて、コストの削減が図られる。
【００１６】
第三の発明では、第一の制御手段は、通信リンクを介して付与された新たな識別子が先行して付与された識別子に等しいか否かの第二の判別を行い、その新たな識別子が先行して付与された識別子に等しくない場合、この通信リンクを介して与えられた情報を無効化する。
すなわち、例えば、保守や運用にかかわる作業の過程で第一の布線に生じた誤接続に起因して、その第一の布線として形成された通信リンクを介して先行して上位装置によって付与された識別子と異なる新たな識別子が付与される状態では、この通信リンクを介して与えられた情報に対して無用に応答することが回避される。
【００１７】
したがって、保守や運用の過程における信頼性の低下が軽減され、かつ増設、改修および移設の何れの工程においても、作業の効率化に併せて、コストの削減が図られる。
第四の発明では、第一の制御手段は、冗長な通信リンクを介して付与された新たな共通の識別子が先行して付与された共通の識別子に等しいか否かの第二の判別を行い、これらの新たな識別子が先行して付与された共通の識別子に等しくない場合に、この通信リンクを介して与えられた情報を無効化する。
【００１８】
すなわち、例えば、保守や運用にかかわる作業の過程で第一の布線に生じた誤接続に起因して、その第一の布線として形成された冗長な通信リンクを介して先行して上位装置によって付与された共通の識別子と異なる新たな識別子が付与される状態では、この通信リンクを介して与えられた情報に対して無用に応答することが回避される。
したがって、保守や運用の過程における信頼性の低下が軽減され、かつ増設、改修および移設の何れの工程においても、作業の効率化に併せて、コストの削減が図られる。
【００１９】
第五の発明では、第一の伝送インタフェース手段は、第二の布線として形成され、かつ上位装置によって終端され、あるいはその上位装置が中継ノードとして介在する伝送路とのインタフェースをとる。布線識別子引き渡し手段は、第一の伝送インタフェース手段および第二の布線を介して上位装置に、通信リンクを介してその上位装置によって付与された識別子と、この第二の布線を示すユニークな識別情報とを引き渡す。
【００２０】
すなわち、第二の布線として形成された伝送路を介して上位装置に引き渡される伝送情報には、その上位装置によって既述の通信リンクを介して付与された識別子と、この第二の布線を示すユニークな識別情報とが含まれる。
したがって、上位装置には、上記の伝送情報の引き渡しに供される伝送路に生じた誤接続が識別されるべき契機に併せて、その誤接続の識別の基準が与えられる。
【００２１】
第六の発明では、第二の伝送インタフェース手段は、第三の布線として形成され、かつ上位装置によって終端され、あるいはその上位装置が中継ノードとして介在する伝送路とのインタフェースをとる。第二の制御手段は、第三の布線および第二の伝送インタフェース手段を介して上位装置から引き渡された伝送情報に、通信リンクを介してその上位装置によって付与された識別子と、この第三の布線を示すユニークな識別情報とが既定の形式で含まれるか否かの第三の判別を行い、その第三の判別の結果に適合した系構成を図る。
【００２２】
すなわち、第三の布線については、その第三の布線として形成された伝送路を介して上位装置によって引き渡された伝送情報の内容に基づいて正常か否かの判別が行われ、その判別の結果に応じた応答が行われる。
したがって、保守や運用にかかわる作業の過程で誤接続が行われ得る第三の布線の状況に対する柔軟な処置が可能となる。
【００２３】
第七の発明では、第三の制御手段は、上位装置から引き渡された伝送情報に、上位装置によって付与された識別子と、第三の布線を示すユニークな識別情報とが規定の形式で含まれない場合、通信リンクを介して与えられた情報を無効化する。
すなわち、伝送路が形成される第三の布線に誤接続が生じている状態では、上述した通信リンクが形成される第一の布線に誤接続が生じていない場合であっても、この通信リンクを介して上位装置から引き渡された情報が無効化される。
【００２４】
したがって、このような誤接続が第三の布線に生じている状態では、その第三の布線に形成された伝送路の保守や運用に関連するメッセージが無用に処理されることが回避される。
第八の発明では、通信制御手段は、上位装置から引き渡された伝送情報に、その上位装置によって付与された識別子と、第三の布線を示すユニークな識別情報とが規定の形式で含まれない場合、上位装置から引き渡された伝送情報を廃棄し、あるいは伝送路の後続する伝送区間に対するその伝送情報の中継を見合わせる。
【００２５】
すなわち、上位装置から伝送路を介して引き渡された伝送情報は、その伝送路が形成される第三の布線に誤接続が生じていない場合に限って有効な伝送情報として取り扱われる。
したがって、このような誤接続が生じている第三の布線に形成された伝送路を介して引き渡された伝送情報に対して無用に応答することに起因する信頼性の低下が軽減され、かつ増設、改修および移設の何れの工程についても、作業の効率化に併せて、コストの削減が図られる。
【００２６】
第九の発明では、情報交換手段は、下位装置との間に敷設された第一の布線として形成された通信リンクを介して、下位装置に付与されるべき識別子と、その下位装置の運用にかかわる情報とをこの下位装置と交換する。第一の判別手段は、下位装置から情報として引き渡された識別子がその下位装置に付与されるべき識別子であるか否かの第一の判別を行う。情報交換手段は、その情報として引き渡された識別子が下位装置に付与されるべき識別子でない場合、情報を無効化する。
【００２７】
すなわち、例えば、保守や運用にかかわる作業の過程で第一の布線に生じた誤接続に起因して、その第一の布線として形成された通信リンクを介して先行して下位装置から引き渡された識別子がその下位装置に付与されるべき識別子と異なる場合には、この通信リンクを介して与えられた情報に対して無用に応答することが回避される。
したがって、保守や運用の過程における信頼性の低下が軽減され、かつ増設、改修および移設の何れの工程においても、作業の効率化に併せて、コストの削減が図られる。
【００２８】
第十の発明では、情報交換手段は、下位装置との間に敷設された第一の布線として形成された常用冗長方式の通信リンクを介して、下位装置に付与されるべき識別子と、その下位装置の運用にかかわる情報とをこの下位装置と交換する。第一の判別手段は、下位装置から情報として引き渡された識別子がその下位装置に付与されるべき識別子であるか否かの第一の判別を行う。情報交換手段は、情報として引き渡された識別子が下位装置に付与されるべき識別子でない場合、情報を無効化する。
【００２９】
すなわち、例えば、保守や運用にかかわる作業の過程で第一の布線に生じた誤接続に起因して、その第一の布線として形成された冗長な通信リンクを介して先行して下位装置から引き渡された識別子がその下位装置に付与されるべき識別子と異なる場合には、この通信リンクを介して与えられた情報に対して無用に応答することが回避される。
したがって、保守や運用の過程における信頼性の低下が軽減され、かつ増設、改修および移設の何れの工程においても、作業の効率化に併せて、コストの削減が図られる。
【００３０】
第十一の発明では、布線識別子引き渡し手段は、第二の布線として形成され、かつ下位装置によって終端され、あるいは下位装置が中継ノードとして介在する伝送路を介して下位装置に、通信リンクを介してその下位装置に付与されるべき識別子と、この第二の布線を示すユニークな識別情報とを引き渡す。
すなわち、第二の布線として形成された伝送路を介して下位装置に引き渡される伝送情報には、その下位装置によって既述の通信リンクを介して付与された識別子と、この第二の布線を示すユニークな識別情報とが含まれる。
【００３１】
したがって、下位装置には、保守や運用にかかわる作業の過程で上記の伝送情報の引き渡しに供される伝送路に生じた誤接続が識別されるべき契機に併せて、その誤接続の識別の基準が与えられる。
第十二の発明では、第一の制御手段は、第三の布線として形成され、かつ下位装置によって終端され、あるいは上位装置が中継ノードとして介在する伝送路を介して下位装置から引き渡された伝送情報に、通信リンクを介してその下位装置に付与されるべき識別子と、この第三の布線を示すユニークな識別情報とが既定の形式で含まれるか否かの第二の判別を行い、その第二の判別の結果に適合した系構成を図る。
【００３２】
すなわち、第三の布線については、その第三の布線として形成された伝送路を介して下位装置によって引き渡された伝送情報の内容に基づいて正常か否かの判別が行われ、その判別の結果に応じた応答が行われる。
したがって、保守や運用にかかわる作業の過程で誤接続が行われ得る第三の布線の状況に対する柔軟な処置が可能となる。
【００３３】
第十三の発明では、第二の制御手段は、下位装置から引き渡された伝送情報に、通信リンクを介して下位装置に付与されるべき識別子と、第三の布線を示すユニークな識別情報とが規定の形式で含まれない場合、通信リンクを介して与えられた情報を無効化する。
すなわち、伝送路が形成される第三の布線に誤接続が生じている状態では、上述した通信リンクが形成される第一の布線に誤接続が生じていない場合であっても、この通信リンクを介して下位装置から引き渡された情報が無効化される。
【００３４】
したがって、このような誤接続が第三の布線に生じている状態では、その第三の布線に形成された伝送路の伝送の保守や運用に関連するメッセージが無用に処理されることが回避される。
第十四の発明では、通信制御手段は、下位装置から引き渡された伝送情報に、通信リンクを介して下位装置に付与されるべき識別子と、第三の布線を示すユニークな識別情報とが規定の形式で含まれない場合、下位装置から引き渡された伝送情報を廃棄し、あるいはその伝送情報の中継に供されるべき後続する伝送区間に対するこの伝送情報の中継を見合わせる。
【００３５】
すなわち、下位装置から伝送路を介して引き渡された伝送情報は、その伝送路が形成される第三の布線に誤接続が生じていない場合に限って有効な伝送情報として取り扱われる。
したがって、このような誤接続が生じている第三の布線に形成された伝送路を介して引き渡された伝送情報に対して無用に応答することに起因する信頼性の低下が軽減され、かつ増設、改修および移設の何れの工程についても、作業の効率化に併せて、コストの削減が図られる。
【００３６】
第十五の発明では、通信リンクは、複数の下位装置との間に個別に敷設された第一の布線として形成された複数の通信リンクの集合として構成される。伝送路は、「複数の下位装置との間に個別に敷設された第二の布線として形成された複数の伝送路の集合」として構成される。第一の制御手段は、複数の下位装置の全てについて、該当する下位装置から情報として引き渡された識別子がその該当する下位装置に付与されるべき識別子であり、この識別子と、第三の布線を示すユニークな識別情報とがこの該当する下位装置から引き渡された伝送情報に規定の形式で含まれるときに、これらの下位装置の内、増設された下位装置を系構成に組み込む。
【００３７】
すなわち、増設された下位装置の稼働の開始は、他の下位装置の全てが先行して稼働を開始した後に、自動的に許可される。
したがって、上記の増設された下位装置を含む全ての下位装置の稼働が並行して非同期に許可され得る場合に比べて、個々の増設された下位装置が系構成に組み込まれる手順やタイミングが統一され、かつ始動時だけではなく、増設を含む保守や運用にかかわるシーケンスの標準化に併せて、信頼性の向上が図られる。
【発明の効果】
【００３８】
第一ないし第四、第九および第十の発明では、保守や運用の過程における信頼性の低下が軽減され、かつ増設、改修および移設の何れの工程においても、作業の効率化に併せて、コストの削減が図られる。
第五および第十一の発明では、対向する上位装置または下位装置には、既述の伝送情報の引き渡しに供される伝送路に生じた誤接続が識別されるべき契機に併せて、その誤接続の識別の基準が与えられる。
【００３９】
第六および第十二の発明では、保守や運用にかかわる作業の過程で誤接続が行われ得る第三の布線の状況に対する柔軟な処置が可能となる。
第七および第十三の発明では、誤接続が第三の布線に生じている状態では、その第三の布線に形成された伝送路の保守や運用に関連するメッセージが無用に処理されることが回避される。
【００４０】
第八および第十四の発明では、誤接続が生じている第三の布線に形成された伝送路を介して引き渡された伝送情報に対して無用に応答することに起因する信頼性の低下が軽減され、かつ増設、改修および移設の何れの工程についても、作業の効率化に併せて、コストの削減が図られる。
第十五の発明では、増設された下位装置を含む全ての下位装置の稼働が並行して非同期に許可され得る場合に比べて、個々の増設された下位装置が系構成に組み込まれる手順やタイミングが統一され、かつ始動時だけではなく、増設を含む保守や運用にかかわるシーケンスの標準化に併せて、信頼性の向上が図られる。
【００４１】
したがって、これらの発明が適用されたシステムや装置では、ハードウエアの構成が基本的に変更されることなく、安価に、かつ確実に性能および総合的な信頼性が高められる。
【発明を実施するための最良の形態】
【００４２】
以下、図面に基づいて本発明の実施形態について詳細に説明する。
まず、本発明の特徴は、以下に記載される何れの実施形態においても、クロスコネクト装置１１-0、１１-1、１１-2に備えられた制御部１３-0、１３-1、１３-2とによって行われる処理の手順にあり、ハードウエアの構成は、基本的に図８に示される従来例と同じである。
【００４３】
なお、以下では、クロスコネクト装置１１-0、１１-1、１１-2に個別に備えられた制御部１３-0、１３-1、１３-2については、それぞれ「メインシェルフ」、「第一のＴｒｉｂシェルフ」、「第二のＴｒｉｂシェルフ」と称する。
また、第一のＴｒｉｂシェルフと第二のＴｒｉｂシェルフとの何れにも該当し得る「Ｔｒｉｂシェルフ」については、「第ｎのＴｒｉｂシェルフ」と表記する。
［第一の実施形態］
図１は、本発明の第一および第二の実施形態におけるメインシェルフの動作フローチャートである。
【００４４】
図２は、本発明の第一、第二および第四の実施形態におけるＴｒｉｂシェルフの動作フローチャートである。
図３は、本発明の第一ないし第三の実施形態の動作を説明する図である。
以下、図１〜図３および図８を参照して本発明の第一の実施形態の動作を説明する。
メインシェルフには、そのメインシェルフと、第一のＴｒｉｂシェルフと、第二のＴｒｉｂシェルフとに個別に割り付けられるべきユニークな４ビット長の識別子（以下、「シェルフ識別子」という。）「１１１０」、「０００１」、「０００２」が予め局情報として与えられる。
【００４５】
第一のＴｒｉｂシェルフと第二のＴｒｉｂシェルフとは、図４に示すように、シェルフ識別子が格納されるべき識別子レジスタ１３ｒ-1、１３ｒ-2をそれぞれ有する。
第ｎのＴｒｉｂシェルフは、始動時には、識別子レジスタ１３ｒ-nの値を「００００」に初期化し（図２(1)、図３(1))、かつケーブル１６Ｃ-nを介してメインシェルフとの間に形成されるべき「第ｎの通信リンク」に、図５に示される構成の「シェルフ識別子通知Ｕ」（識別子レジスタ１３ｒ-nの値（＝００００）と、宛先に該当するメインシェルフのシェルフ識別子（＝１１１０）とがそれぞれ上位の４ビットと下位の４ビットとしてパックされて構成される。）を送出する（図２(2)、図３(2))。
【００４６】
メインシェルフは、始動時には、上述した「第ｎの通信リンク」に、図４に示される構成の「シェルフ識別子通知Ｄ」（送信元であるメインシェルフのシェルフ識別子（＝１１１０）と、宛先に該当する第ｎのＴｒｉｂシェルフのシェルフ識別子（＝ｎ）とがそれぞれ上位の４ビットと下位の４ビットとにパックされることによって構成される。）を送出する（図１(1)、図３(3))。
【００４７】
なお、上述した「シェルフ識別子」がとり得る値の内、「００００」は、メインシェルフと第ｎのＴｒｉｂシェルフとの間に既述のケーブル１６Ｃ-nが布線として敷設されていない場合にハードウエアの構成の下で発生する値であるため、メインシェルフだけではなく、何れのＴｒｉｂシェルフにも割り付けられない。
さらに、メインシェルフは、「何らかのＴｒｉｂシェルフのシェルフ識別子」と、『シェルフ識別子が付与されていないことを意味する「００００」』との何れか一方が上位４ビットに配置された「シェルフ識別子通知Ｕ」が第ｎの通信リンクを介して引き渡される（図１(2))と、以下の処理(1)、(2)を行う。
(1) その上位４ビットが「００００」に該当する場合には、その旨に併せて、該当するシェルフ識別子を含む「警報情報」を外部に出力し（図１(3)、図３(4))、かつ第ｎの通信リンクに、既述の「シェルフ識別子通知Ｄ」を送出する（図１(4)、図３(5))。
(2) しかし、この上位４ビットが上記の「何らかのＴｒｉｂシェルフのシェルフ識別子」（ここでは、第ｎのＴｒｉｂシェルフのシェルフ識別子であると仮定する。）に該当する場合には、下記の処理を行う。
・  第ｎの通信リンクを介して対向する第ｎのＴｒｉｂシェルフに割り付けられるべきシェルフ識別子を既述の局情報として取得する。
・  そのシェルフ識別子が該当する「シェルフ識別子通知Ｕ」の上位４ビットの値に等しいか否かを判別（以下、「増設判別」という。）する（図１(5)、図３(6))。
・  この増設判別の下でシェルフ識別子が該当する「シェルフ識別子通知Ｕ」の上位４ビットの値に等しくない場合には、その旨（関連するシェルフ識別子やケーブルの識別情報が含まれてもよい。）を示す警報情報を外部に出力する（図１(3)、図３(7))。
・  さらに、このような増設判別の結果の如何にかかわらず、第ｎの通信リンクに、既述の「シェルフ識別子通知Ｄ」を送出する（図１(6)、図３(8))。
【００４８】
一方、第ｎのＴｒｉｂシェルフは、その「シェルフ識別子通知Ｄ」が受信された（図２(3))ときには、識別子レジスタ１３ｒ-nの値が「００００」であるか否かを判別し（図２(4)、図３(9))、その識別子レジスタ１３ｒ-nの値が「００００」である場合に限って下記の処理(1)〜(3)を行う。
(1) 受信された「シェルフ識別子通知Ｄ」の下位４ビットに配置されたシェルフ識別子（ここでは、「００００」と「１１１０」との何れにも該当しない二進数ｎであると仮定する。）を識別子レジスタ１３ｒ-nに格納する（図２(5)、図３(10))。
(2) 上述した「第ｎの通信リンク」に、既述の「シェルフ識別子通知Ｕ」（識別子レジスタ１３ｒ-nに格納されたシェルフ識別子（＝ｎ）と、宛先に該当するメインシェフのシェルフ識別子（＝１１１０）とがそれぞれ上位の４ビットと下位の４ビットとにパックされることによって構成される。）を送出する（図２(6)、図３(11))。
(3) 第ｎのＴｒｉｂシェルフによって本来的に行われ、かつ所定の手順に基づいて上述した識別子レジスタ１３ｒ-nの内容を適宜参照する処理（以下、単に「分散処理」と称し、「メインシェルフとの連係」および「スイッチ１２-nに対するパスの形成」を含む。）を起動する（図２(7)、図３(12))。
【００４９】
すなわち、第ｎのＴｒｉｂシェルフでは、メインシェルフによって与えられた「シェルフ識別子通知Ｄ」の下位４ビットに含まれ、かつ「００００」ではない有効なシェルフ番号が先行して識別子レジスタ１３ｒ-nに格納されている場合には、その識別子レジスタ１３ｒ-nの内容が更新されず、既述の処理にも適用されない。
このように本実施形態によれば、増設、改修、移設の何れかの工事、あるいは保守や運用の作業の過程で、例えば、図６(a) に点線で示すように、メインシェルフと第一および第二のＴｒｉｂシェルフとの間に敷設されるべきケーブル１６Ｃ-1、１６Ｃ-2（コネクタ１５Ｃ-01、１５Ｃ-02、１５Ｃ-11、１５Ｃ-21）が誤接続（接続されない場合を含む。）された場合であっても、個々のＴｒｉｂシェルフの識別子レジスタに先行して格納された正規のシェルフ番号は、無用に更新されることなく維持される。
【００５０】
さらに、このような誤接続が行われたケーブルやコネクタの識別は、既述の「警報情報」に基づいて速やかに、かつ的確に実現される。
したがって、本実施形態によれば、保守や運用の過程において総合的な信頼性が高く維持され、かつ増設、改修および移設の何れの工程においても、作業の効率化とコストの削減とが図られる。
［第二の実施形態］
以下、図１〜図５および図８を参照して本発明の第二の実施形態の動作を説明する。
【００５１】
本実施形態の特徴は、メインシェルフ（制御部１３-0）と、第ｎのＴｒｉｂシェルフ（制御部１３-n）とによって行われる下記の処理の手順にある。
メインシェルフと第ｎのＴｒｉｂシェルフとは、宛先に該当するシェルフのシェルフ番号を含む所定の形式のメッセージを既述の通信リンクを介して相互に、かつ適宜交換する。
【００５２】
メインシェルフは、第ｎのＴｒｉｂシェルフから何らかのメッセージを受信する（図１(7)、図３(13)) と、そのメッセージに応じて行われるべき処理の起動に先行して、下記の処理を行う。
・  該当するメッセージに含まれるシェルフ番号（既述の送信元を示す。）に併せて、そのメッセージの伝送に供された通信リンク（ここでは、簡単のため、正規である場合には、ケーブル１６Ｃ-n上に形成される第ｎの通信リンクであると仮定する。）を特定する（図１(8)、図３(14))。
・  これらのシェルフ番号および通信リンクが局情報に整合するか否かを判別する（図１(9)、図３(15))。
・  この判別の下でシェルフ番号および通信リンクが局情報に整合しない場合には、その旨を示す警報情報（該当するシェルフ番号および通信リンクの識別子を含む。）を外部に送出し（図１(10)、図３(16)) 、かつ該当するメッセージを廃棄すると共に、「このメッセージに応じて行われるべき処理」（図１(11)、図３(17)) の起動を省略する。
【００５３】
また、第ｎのＴｒｉｂシェルフは、メインシェルフから何らかのメッセージを受信する（図２(8)、図３(18)) と、そのメッセージに応じて行われるべき処理の起動に先行して、下記の処理を行う。
・  該当するメッセージに含まれるシェルフ番号（既述の宛先を示す。）を特定する（図２(9)、図３(19))。
・  このシェルフ番号が「識別子レジスタ１３ｒ-nに格納されたシェルフ番号」に等しいか否かを判別する（図２(10)、図３(20))。
・  この判別の下でシェルフ番号が「識別子レジスタ１３ｒ-nに格納されたシェルフ番号」に等しくない場合には、その旨の警報情報（該当するシェルフ番号と、「識別子レジスタ１３ｒ-nに格納されたシェルフ番号」とを含む。）を通信リンクを介してメインシェルフ宛（あるいは直接外部）に送出し（図２(11)、図３(21)) 、かつ該当するメッセージを廃棄すると共に、「このメッセージに応じて行われるべき処理」（図２(12)、図３(22)) の起動を省略する。
【００５４】
すなわち、メインシェルフだけではなく、何れのＴｒｉｂシェルフにおいても、増設、改修、移設の何れか、あるいは保守や運用にかかわる作業の過程で、メインシェルフと第一および第二のＴｒｉｂシェルフとの間に敷設されるべきケーブル１６Ｃ-1、１６Ｃ-2（コネクタ１５Ｃ-01、１５Ｃ-02、１５Ｃ-11、１５Ｃ-21）が誤接続された場合であっても、該当するシェルフに該当しない宛先を含むメッセージに応じた無用な処理の起動が回避される。
【００５５】
したがって、本実施形態によれば、増設、改修および移設にかかわる作業の効率化とコストの削減とが図られると共に、保守や運用にかかわる信頼性が高められる。
［第三の実施形態］
以下、図１、図３および図８を参照して本発明の第三の実施形態の動作を説明する。
本実施形態の特徴は、メインシェルフ（制御部１３-0）と、第ｎのＴｒｉｂシェルフ（制御部１３-n）とにおいて行われる下記の処理の手順と、これらの処理の下で連係する、スイッチ１３-0、１３-nの動作とにある。
【００５６】
第ｎのＴｒｉｂシェルフは、下記の識別子を局情報として有する。
・  スイッチ１２-nのポートの内、「ポートＪ１」、「ポートＪ２」および「ポートｊ１」を介してメインシェルフとの間に形成される個々の伝送路を示すユニークな識別子Ｊ１-n、Ｊ２-n、ｊ１-n（以下、「伝送路識別子」という。）
・  これらの伝送路をそれぞれ介して対向するメインシェルフのシェルフ識別子１１１０（以下、「メインシェルフ識別子」という。）
また、メインシェルフは、下記の識別子を局情報として有する。
・  スイッチ１２-0のポートの内、既述の「ポートＪ１」〜「ポートＪ４」、「ポートｊ１」、「ポートｊ２」を介して対向するＴｒｉｂシェルフとの間に形成される個々の伝送路を示すユニークな識別子Ｊ１-1、Ｊ２-1、Ｊ１-2、Ｊ２-2、ｊ１-1、ｊ２-2（上述した識別子Ｊ１-n、Ｊ２-n、ｊ１-nにおけるｎが「１」と「２」とにそれぞれ等しい場合に該当するので、以下、既述の通りに「伝送路識別子」という。）
・  これらの伝送路を介してそれぞれ対向するＴｒｉｂシェルフのシェルフ識別子０００１、００１０、…（以下、「Ｔｒｉｂシェルフ識別子」という。）
メインシェルフでは、スイッチ１２-0は、シェルフ識別子の付与が完了したＴｒｉｂシェルフ（ここでは、「第ｎのＴｒｉｂシェルフ」であると仮定する。）宛に、この第ｎのＴｒｉｂシェルフとの間に形成される個々の伝送路を介して主信号として伝送される（図３(a))べき伝送情報に下記の識別子を付加する。
・  第ｎのＴｒｉｂシェルフを示す「Ｔｒｉｂシェルフ識別子」
・  該当する伝送路を示す「伝送路識別子」
第ｎのＴｒｉｂシェルフでは、スイッチ１２-nは、このような伝送路を介してメインシェルフから受信された伝送情報に下記の処理を施す（図３(b))。
・  この伝送情報に含まれる「伝送路識別子」と「Ｔｒｉｂシェルフ識別子」とを取得する。
・  その「伝送路識別子」と、局情報として与えられる該当する伝送路の「伝送路識別子」とが等しく、かつこの「Ｔｒｉｂシェルフ識別子」と「識別子レジスタ１３ｒ-nに格納されたシェルフ番号」とが等しいか否かの判別を行う。
・  上記の「伝送路識別子」と「伝送路識別子」とが等しく、かつ「Ｔｒｉｂシェルフ識別子」と「識別子レジスタ１３ｒ-nに格納されたシェルフ番号」とが等しい場合に限って該当する伝送情報を有効とする。
【００５７】
しかし、上記の「伝送路識別子」と「伝送路識別子」とが等しく、かつ「Ｔｒｉｂシェルフ識別子」と「識別子レジスタ１３ｒ-nに格納されたシェルフ番号」とが等しくない場合には、スイッチ１２-nは、該当する伝送情報を廃棄すると共に、『その旨に併せて、上述した「伝送路識別子」および「Ｔｒｉｂシェルフ識別子」を含む警報情報』を外部に出力する（図３(c))。
【００５８】
なお、このような伝送情報の廃棄は、所望の伝送方式や多元接続方式に適合した以下の何れの処理として実現されてもよい。
・  新同期方式その他のＳＴＭ方式が適用された場合には、後続する伝送区間に対して送信されるべきＳＤＨフレームの所定のフィールドに、無音状態その他の特異な状態を示すビット列が挿入される。
・  ＡＴＭ方式が適用された場合には、受信された伝送情報が直接廃棄され、またはその伝送情報にかかわる処理の全てまたはもしくは一部が省略される。
【００５９】
また、第ｎのＴｒｉｂシェルフでは、スイッチ１２-nは、メインシェルフによって付与されたシェルフ識別子が識別子レジスタ１３ｒ-nに格納された状態では、そのメインシェルフ宛に、このメインシェルフとの間に形成される個々の伝送路を介して主信号として伝送される（図３(d))べき伝送情報に下記の識別子を付加する。
・  「識別子レジスタ１３ｒ-nに格納されたシェルフ番号」
・  該当する伝送路を示す「伝送路識別子」
メインシェルフでは、スイッチ１２-0は、このような伝送路を介してメインシェルフから受信された伝送情報に下記の処理を施す（図３(e))。
・  この伝送情報に含まれる「伝送路識別子」と「シェルフ識別子」とを取得する。
・  その「伝送路識別子」と、局情報として与えられる該当する伝送路の「伝送路識別子」とが等しく、かつこの「シェルフ識別子」と局情報として与えられる該当する第ｎのＴｒｉｂシェルフの「シェルフ識別子」とが等しいか否かの判別を行う。
・  上記の「伝送路識別子」と「伝送路識別子」とが等しく、かつ「シェルフ識別子」と局情報として与えられる該当する第ｎのＴｒｉｂシェルフの「シェルフ識別子」とが等しい場合に限って該当する伝送情報を有効とする。
【００６０】
しかし、上記の「伝送路識別子」と「伝送路識別子」とが等しく、かつ「シェルフ識別子」と局情報として与えられる該当する第ｎのＴｒｉｂシェルフの「シェルフ識別子」とが等しくない場合には、スイッチ１２-nは、該当する伝送情報を廃棄し、かつ『その旨に併せて、上述した「伝送路識別子」および「シェルフ識別子」を含む警報情報』を外部に出力する（図３(f))。
【００６１】
すなわち、メインシェルフと第ｎのＴｒｉｂシェルフとの間で引き渡される主信号は、その第ｎのＴｒｉｂシェルフに対して付与された「シェルフ識別子」と、この主信号の引き渡しに供される伝送路（ケーブル１６Ｊ-1〜１６Ｊ-4、１６ｊ-1、１６ｊ-2の何れか）を示す「伝送路識別子」とを含む伝送情報として伝送され、このような主信号の受信端においてこれらの「シェルフ識別子」および「伝送路識別子」にかかわる局情報との整合性に基づいて正規か否かの判別が行われる。
【００６２】
また、これらの判別の下で上記の主信号が正規の主信号として識別されない誤接続の箇所の特定に有効な「シェルフ識別子」や「伝送路識別子」は、自動的に、かつ速やかに取得されると共に、既述の「警報情報」として提供される。
したがって、例えば、図６(b) に点線で示すように、誤接続が行われた状態では、その誤接続の検出および該当するケーブル等の特定が確度高く行われ、かつ上記の判別が行われていなかった従来例に比べて、伝送品質と、伝送情報の秘匿性とに併せて、総合的な信頼性の向上が図られる。
［第四の実施形態］
以下、図１および図８を参照して本発明の第三の実施形態の動作を説明する。
【００６３】
本実施形態の特徴は、メインシェルフおよび個々のＴｒｉｂシェルフによって行われる下記の処理の手順にある。
第一のＴｒｉｂシェルフおよび第二のＴｒｉｂシェルフは、何れも、後述するようにメインシェルフによってメッセージとして『「分散処理」の起動の許可』が与えられる時点まで、「分散処理」の開始を見合わせる。
【００６４】
一方、メインシェルフは、既述の増設判別の下で、シェルフ識別子が該当する「シェルフ識別子通知Ｕ」の上位４ビットの値に等しいＴｒｉｂシェルフ（以下、「増設Ｔｒｉｂシェルフ」という。）を特定する度に、この増設Ｔｒｉｂシェルフの識別子を待ち行列に繋ぐ（図１(A))。
さらに、メインシェルフは、このようにして待ち行列に繋がれた個々の「増設Ｔｒｉｂシェルフの識別子」に応じて下記の処理を行う。
(a) 待ち行列に最先に繋がれた増設Ｔｒｉｂシェルフの識別子を取得する。
(b) その増設Ｔｒｉｂシェルフより先行して分散処理が起動された他のＴｒｉｂシェルフ（以下、「先行起動Ｔｒｉｂシェルフ」という。）の全てを特定する（図１(B))。
(c) これらの「先行起動Ｔｒｉｂシェルフ」の何れについても、上述した第一ないし第三の実施形態においてメインシェルフによって行われる判別の内、上述した「増設判別」以外の判別の条件の全てが成立するか否かの判別（以下、「増設契機判別」という。）を行う（図１(C))。
(d) この「増設契機判別」の下で上記の条件の全てが成立した時点で、既述のメッセージとして、その「増設Ｔｒｉｂシェルフ」に既述の「分散処理」の起動の許可を与える（図１(D))。
(e) 上記の待ち行列に繋がれた他の増設Ｔｒｉｂシェルフについて、上記の処理(a)〜(d)を反復する。
【００６５】
すなわち、個々の「増設Ｔｒｉｂシェルフ」における分散処理の開始は、他の「先行起動Ｔｒｉｂシェルフ」の全てが分散処理を開始した時点で自動的に許可される。
したがって、本実施形態によれば、複数の増設Ｔｒｉｂシェルフが並行して非同期に「分散処理」を開始し得る場合に比べて、個々の増設Ｔｒｉｂシェルフが系構成に組み込まれる手順やタイミングが統一され、かつ始動時だけではなく、増設を含む保守や運用にかかわるシーケンスの標準化に併せて、総合的な信頼性の向上が図られる。
【００６６】
なお、上述した各実施形態では、メインシェルフだけではなく、何れのＴｒｉｂシェルフも冗長に構成されていない。
しかし、本発明はこのような構成に限定されず、例えば、図７に示すように、全てのメインシェルフおよびＴｒｉｂシェルフにユニークなシェルフ番号が付与され、これらのメインシェルフとＴｒｉｂシェルフとの系構成が的確に行われる限り、如何なる方式に基づいて冗長に構成されてもよい。
【００６７】
また、上述した各実施形態では、本発明は、新同期方式に適応し、かつ所望の形態で負荷や機能の分散が図られたクロスコネクト装置に適用されている。
しかし、本発明は、このような伝送装置に限定されず、架もしくはシェルフに実装され、かつ通信リンクや伝送路（着脱可能なコネクタやＭＤＦ (Intermediate Distributing Frame)を介して相互に接続された布線として形成される。）を介して連係する複数のシェルフまたはパッケージ（モジュール）の組み合わせとして構成される多様な装置に適用可能である。
【００６８】
さらに、上述した各実施形態では、既述の通信リンクは異なるケーブル１６Ｃ-1、１６Ｃ-2を介して形成され、かつ伝送路はこれらのケーブル１６Ｃ-1、１６Ｃ-2と異なるケーブル１６Ｊ-1〜１６Ｊ-4、１６ｊ-1、１６ｊ-2を介して形成されている。
しかし、これらの通信リンクと伝送路との全てまたは一部は異なるケーブル（光ケーブルを含む。）を介して形成されてもよく、あるいは所定の多元接続方式が適用された単一のケーブルを介して形成されてもよい。
【００６９】
また、本発明は上述した実施形態に限定されるものではなく、本発明の範囲において多様な形態による実施形態が可能であり、かつ構成装置の全てまたは一部に如何なる改良が施されてもよい。
以下、上述した各実施形態に開示された発明を階層的・多面的に整理し、付記項として列記する。
（付記１）  第一の布線として形成された通信リンクを介して上位装置によって付与された識別子を取得する識別子取得手段を有する下位装置において、
前記識別子取得手段は、
前記通信リンクを介して新たな識別子が付与されたときに、前記新たな識別子に先行して付与された識別子があるか否かの第一の判別を行い、前記先行して付与された識別子がある場合に前記新たな識別子を無効化する
ことを特徴とする下位装置。
（付記２）  第一の布線として形成された常用冗長方式の通信リンクを介して上位装置によって付与された共通の識別子を取得する識別子取得手段を有する下位装置において、
前記識別子取得手段は、
前記冗長な通信リンクを介して新たな共通の識別子が付与されたときに、前記新たな共通の識別子に先行して付与された共通の識別子があるか否かの第一の判別を行い、前記先行して付与された共通の識別子がある場合に前記新たな共通の識別子を無効化する
ことを特徴とする下位装置。
（付記３）  付記１に記載の下位装置において、
前記通信リンクを介して付与された新たな識別子が前記先行して付与された識別子に等しいか否かの第二の判別を行い、前記新たな識別子が前記先行して付与された識別子に等しくない場合、前記通信リンクを介して与えられた情報を無効化する第一の制御手段を備えた
ことを特徴とする下位装置。
（付記４）  付記２に記載の下位装置において、
前記冗長な通信リンクを介して付与された新たな共通の識別子が前記先行して付与された共通の識別子に等しいか否かの第二の判別を行い、前記新たな識別子が前記先行して付与された識別子に等しくない場合、前記通信リンクを介して与えられた情報を無効化する第一の制御手段を備えた
ことを特徴とする下位装置。
（付記５）  付記１ないし付記４の何れか１項に記載の下位装置において、
第二の布線として形成され、かつ前記上位装置によって終端され、あるいは前記上位装置が中継ノードとして介在する伝送路とのインタフェースをとる第一の伝送インタフェース手段と、
前記第一の伝送インタフェース手段および前記第二の布線を介して前記上位装置に、前記通信リンクを介して前記上位装置によって付与された識別子と、前記第二の布線を示すユニークな識別情報とを引き渡す布線識別子引き渡し手段と
を備えたことを特徴とする下位装置。
（付記６）  付記１ないし付記５の何れか１項に記載の下位装置において、
第三の布線として形成され、かつ前記上位装置によって終端され、あるいは前記上位装置が中継ノードとして介在する伝送路とのインタフェースをとる第二の伝送インタフェース手段と、
前記第三の布線および前記第二の伝送インタフェース手段を介して前記上位装置から引き渡された伝送情報に、前記通信リンクを介して前記上位装置によって付与された識別子と、前記第三の布線を示すユニークな識別情報とが既定の形式で含まれるか否かの第三の判別を行い、前記第三の判別の結果に適合した系構成を図る第二の制御手段と
を備えたことを特徴とする下位装置。
（付記７）  付記６に記載の下位装置において、
前記上位装置から引き渡された伝送情報に、前記上位装置によって付与された識別子と、前記第三の布線を示すユニークな識別情報とが前記規定の形式で含まれない場合に、前記通信リンクを介して与えられた情報を無効化する第三の制御手段を備えた
ことを特徴とする下位装置。
（付記８）  付記６または付記７に記載の下位装置において、
前記上位装置から引き渡された伝送情報に、前記上位装置によって付与された識別子と、前記第三の布線を示すユニークな識別情報とが前記規定の形式で含まれない場合に、前記上位装置から引き渡された伝送情報を廃棄し、あるいは前記伝送路の後続する伝送区間に対する前記伝送情報の中継を見合わせる通信制御手段を備えた
ことを特徴とする下位装置。
（付記９）  下位装置との間に敷設された第一の布線として形成された通信リンクを介して、前記下位装置に付与されるべき識別子と、前記下位装置の運用にかかわる情報とを前記下位装置と交換する情報交換手段と、
前記下位装置から前記情報として引き渡された識別子が前記下位装置に付与されるべき識別子であるか否かの第一の判別を行う第一の判別手段とを備え、
前記情報交換手段は、
前記情報として引き渡された識別子が前記下位装置に付与されるべき識別子でない場合、前記情報を無効化する
ことを特徴とする上位装置。
（付記１０）  下位装置との間に敷設された第一の布線として形成された常用冗長方式の通信リンクを介して、前記下位装置に付与されるべき識別子と、前記下位装置の運用にかかわる情報とを前記下位装置と交換する情報交換手段と、
前記下位装置から前記情報として引き渡された識別子が前記下位装置に付与されるべき識別子であるか否かの第一の判別を行う第一の判別手段とを備え、
前記情報交換手段は、
前記情報として引き渡された識別子が前記下位装置に付与されるべき識別子でない場合、前記情報を無効化する
ことを特徴とする上位装置。
（付記１１）  付記９または付記１０に記載の上位装置において、
第二の布線として形成され、かつ前記下位装置によって終端され、あるいは前記下位装置が中継ノードとして介在する伝送路を介して前記下位装置に、前記通信リンクを介して前記下位装置に付与されるべき識別子と、前記第二の布線を示すユニークな識別情報とを引き渡す布線識別子引き渡し手段を備えた
ことを特徴とする上位装置。
（付記１２）  付記９ないし付記１１の何れか１項に記載の上位装置において、
第三の布線として形成され、かつ前記下位装置によって終端され、あるいは前記上位装置が中継ノードとして介在する伝送路を介して前記下位装置から引き渡された伝送情報に、前記通信リンクを介して前記下位装置に付与されるべき識別子と、前記第三の布線を示すユニークな識別情報とが既定の形式で含まれるか否かの第二の判別を行い、前記第二の判別の結果に適合した系構成を図る第一の制御手段を備えた
ことを特徴とする上位装置。
（付記１３）  付記１２に記載の上位装置において、
前記下位装置から引き渡された伝送情報に、前記通信リンクを介して前記下位装置に付与されるべき識別子と、前記第三の布線を示すユニークな識別情報とが規定の形式で含まれない場合、前記通信リンクを介して与えられた情報を無効化する第二の制御手段を備えた
ことを特徴とする上位装置。
（付記１４）  付記１２に記載の上位装置において、
前記下位装置から引き渡された伝送情報に、前記通信リンクを介して前記下位装置に付与されるべき識別子と、前記第三の布線を示すユニークな識別情報とが規定の形式で含まれない場合、前記下位装置から引き渡された伝送情報を廃棄し、あるいは前記伝送情報の中継に供されるべき後続する伝送区間に対する前記伝送情報の中継を見合わせる通信制御手段を備えた
ことを特徴とする上位装置。
（付記１５）  付記１２ないし付記１４の何れか１項に記載の上位装置において、
前記通信リンクは、
複数の下位装置との間に個別に敷設された第一の布線として形成された複数の通信リンクの集合であり、
前記伝送路は、
前記複数の下位装置との間に個別に敷設された第二の布線として形成された複数の伝送路の集合であり、
第一の制御手段は、
前記複数の下位装置の全てについて、該当する下位装置から情報として引き渡された識別子が前記該当する下位装置に付与されるべき識別子であり、この識別子と、前記第三の布線を示すユニークな識別情報とが前記該当する下位装置から引き渡された伝送情報に規定の形式で含まれるときに、これらの下位装置の内、増設された下位装置を系構成に組み込む
ことを特徴とする上位装置。
【図面の簡単な説明】
【００７０】
【図１】本発明の第一および第二の実施形態におけるメインシェルフの動作フローチャートである。
【図２】本発明の第一、第二および第四の実施形態におけるＴｒｉｂシェルフの動作フローチャートである。
【図３】本発明の第一ないし第三の実施形態の動作を説明する図である。
【図４】識別子レジスタの構成を示す図である。
【図５】シェルフ識別通知の構成を示す図である。
【図６】通信リンクおよび伝送路の誤接続の例を示す図である。
【図７】冗長に構成されたシェルフのシェルフ番号の例を示す図である。
【図８】複数の伝送装置の組み合わせとして構成されたノード装置の構成例を示す図である。
【符号の説明】
【００７１】
１０，２０ｎ  ノード装置
１１  クロスコネクト装置
１２  スイッチ
１３  制御部
１４Ｃ，１４ｊ，１４Ｊ，１４Ｌ  レセプタクル
１５Ｃ，１５ｊ，１５Ｊ，１５Ｌ  コネクタ
１６Ｃ，１６ｊ，１６Ｊ，１６Ｌ  ケーブル
２０  網
【図１】
2005229476.tif 000003
【図２】
2005229476.tif 000004
【図３】
2005229476.tif 000005
【図４】
2005229476.tif 000006
【図５】
2005229476.tif 000007
【図６】
2005229476.tif 000008
【図７】
2005229476.tif 000009
【図８】
2005229476.tif 000010